(57)【要約】【課題】容器本体を開封し、液体を揮散させる状態とするための操作を簡易化する。【解決手段】揮散性液体容器1において、底板部31、内周壁部32及び外周壁部33を有するキャップ部材30と、キャップ部材30の内周壁部32と外周壁部33の間で底板部31上に配置された含浸材40と、倒立状態の容器本体20を載置可能な支持部材50と、支持部材50に対しキャップ部材30を上下移動可能に連結する連結片60と、容器本体20の口部25を封止する封止部材70とを設け、キャップ部材30の底板部31には、容器本体20に対して支持部材50を回転させるに伴い、内周壁部32が容器本体20の口部24にねじ込まれて封止部材70を貫通する突起部34を形成し、キャップ部材30の内周壁部32には、液体Rが通過可能な液体経路32aを形成する。【選択図】図２
2014148336.tif 000002
【特許請求の範囲】
【請求項１】
内部に揮散性の液体を収容し、底部、胴部、肩部、口部を有するボトル状をなす容器本体を倒立状態とし、含浸材を介して前記液体を揮散させる揮散性液体容器において、
底板部、該底板部に立設されて前記容器本体の口部にねじ付けられる環状の内周壁部、及び該内周壁部の外側で底板部に立設された外周壁部を有するキャップ部材と、
前記キャップ部材の内周壁部と外周壁部の間で底板部上に配置された含浸材と、
前記キャップ部材の外周を取り囲むと共に、倒立状態の前記容器本体を載置可能な支持部材と、
前記支持部材に対し前記キャップ部材を上下移動可能に連結する連結片と、
前記容器本体の口部を封止する封止部材とを備え、
前記キャップ部材の底板部には、前記容器本体に対して前記支持部材を回転させるに伴い、内周壁部が前記容器本体の口部にねじ込まれて前記封止部材を貫通する突起部が形成されており、前記キャップ部材の内周壁部には、前記液体が通過可能な液体経路が形成されていることを特徴とする揮散性液体容器。
【請求項２】
前記連結片は、上下方向の屈曲部を有する板状体である、請求項１に記載の揮散性液体容器。
【請求項３】
前記キャップ部材の内周壁部に前記液体経路となるスリットを形成した、請求項１又は２に記載の揮散性液体容器。
【請求項４】
前記突起部は、上下方向にわたる凹状又は凸状を有し、
前記封止部材は、リング状の環状底面部と、該環状底面部の外周縁部に立設された外筒部と、前記環状底面部の内周縁部に立設された内筒部とを有すると共に、前記環状底面部、前記外筒部及び前記内筒部によって前記容器本体の口部に嵌合し、
前記環状底面部の下面には、径方向にわたって延びる溝又は突条が形成されている、請求項１〜３のいずれか一項に記載の揮散性液体容器。
【請求項５】
前記キャップ部材の底板部の上面における、前記容器本体の口部の下方領域には、凹凸が形成されている、請求項１〜４のいずれか一項に記載の揮散性液体容器。
【発明の詳細な説明】
【技術分野】
【０００１】
本発明は、内部に揮散性の液体を収容し、ボトル状をなす容器本体を倒立状態とし、含浸材を介して液体を揮散させる揮散性液体容器に関し、特に、容器本体を開封し、液体を揮散させる状態とするための操作を簡易化しようとするものである。
【背景技術】
【０００２】
従来、この種の揮散性液体容器として、例えば特許文献１に記載されるようなものが知られている。特許文献１に記載される揮散性液体容器は、倒立したボトル状の容器本体に下方から被さり、容器本体の口部及び肩部を覆うキャップを備えており、その使用に際しては、キャップの上辺縁の切取部を切取って、キャップを容器本体の方向に押し進め、容器本体の口部を封止するシール部を、キャップ部材の底面に立設された突起によって突き破ると共に、キャップの上端部を容器本体に係止するようになっている。そして、このようにして開封状態となった揮散性液体容器を載置しておけば、容器本体から流出した液体芳香剤がキャップの底面上に配置された揮散紙を湿潤し、キャップの溝孔から芳香が発散される。
【先行技術文献】
【特許文献】
【０００３】
【特許文献１】実開昭６１−９１２２８号公報
【発明の概要】
【発明が解決しようとする課題】
【０００４】
しかしながら、特許文献１に記載されるような揮散性液体容器では、容器本体を開封する際に、キャップの上辺縁の切取部を切取って、キャップを容器本体に係止するという煩雑な操作が必要となる。
本発明は、前記のような従来の問題点を解決すべく開発されたもので、容器本体を開封し、液体を揮散させる状態とするための操作を簡易化することのできる揮散性液体容器を提案することを目的とする。
【課題を解決するための手段】
【０００５】
すなわち、本発明の要旨構成は以下のとおりである。
１．内部に揮散性の液体を収容し、底部、胴部、肩部、口部を有するボトル状をなす容器本体を倒立状態とし、含浸材を介して前記液体を揮散させる揮散性液体容器において、
底板部、該底板部に立設されて前記容器本体の口部にねじ付けられる環状の内周壁部、及び該内周壁部の外側で底板部に立設された外周壁部を有するキャップ部材と、
前記キャップ部材の内周壁部と外周壁部の間で底板部上に配置された含浸材と、
前記キャップ部材の外周を取り囲むと共に、倒立状態の前記容器本体を載置可能な支持部材と、
前記支持部材に対し前記キャップ部材を上下移動可能に連結する連結片と、
前記容器本体の口部を封止する封止部材とを備え、
前記キャップ部材の底板部には、前記容器本体に対して前記支持部材を回転させるに伴い、内周壁部が前記容器本体の口部にねじ込まれて前記封止部材を貫通する突起部が形成されており、前記キャップ部材の内周壁部には、前記液体が通過可能な液体経路が形成されていることを特徴とする揮散性液体容器。
【０００６】
２．前記連結片は、上下方向の屈曲部を有する板状体である、前記１の揮散性液体容器。
【０００７】
３．前記キャップ部材の内周壁部に前記液体経路となるスリットを形成した、前記１又は２の揮散性液体容器。
【０００８】
４．前記突起部は、上下方向にわたる凹状又は凸状を有し、
前記封止部材は、リング状の環状底面部と、該環状底面部の外周縁部に立設された外筒部と、前記環状底面部の内周縁部に立設された内筒部とを有すると共に、前記環状底面部、前記外筒部及び前記内筒部によって前記容器本体の口部に嵌合し、
前記環状底面部の下面には、径方向にわたって延びる溝又は突条が形成されている、前記１〜３のいずれかの揮散性液体容器。
【０００９】
５．前記キャップ部材の底板部の上面における、前記容器本体の口部の下方領域には、凹凸が形成されている、前記１〜４のいずれかの揮散性液体容器。
【発明の効果】
【００１０】
本発明によれば、容器本体に対して支持部材を回転させるだけで、この支持部材に連結片で連結されたキャップ部材を回転させて、キャップ部材の内周壁部を容器本体の口部にねじ込み、キャップ部材の底板部に立設された突起部で封止部材を貫通し、容器本体内の液体を、内周壁部に形成された液体経路を介して含浸材に含浸させ、揮散させることができる。したがって、本発明によれば、容器本体を開封し、液体を揮散させる状態とするための操作を大幅に簡易化することのできる揮散性液体容器を得ることができる。
【図面の簡単な説明】
【００１１】
【図１】本発明の一実施形態に係る揮散性液体容器の未開封状態を示す底面図である。
【図２】図１のＡ−Ａ断面図である。
【図３】図１のＢ−Ｂ断面図である。
【図４】本発明の一実施形態に係る揮散性液体容器の開封状態を示す底面図である。
【図５】図４のＣ−Ｃ断面図である。
【図６】図４のＤ−Ｄ断面図である。
【発明を実施するための形態】
【００１２】
以下、図１〜図６を参照して、本発明の一実施形態に係る揮散性液体容器について詳細に例示説明する。なお、本例の揮散性液体容器は倒立状態で使用されるものであるため、倒立状態を基準として説明する。
【００１３】
図１〜図３に示すように、揮散性液体容器１は、容器本体２０と、キャップ部材３０と、含浸材４０と、支持部材５０と、連結片６０と、中栓（封止部材）７０とからなる。容器本体２０は、底部２１、胴部２２、肩部２３及び口部２４を有するボトル状をなしている。より具体的には容器本体２０は、本例では、底部２１が略正方形をなし、胴部が略正方形の４つの側面からなる角壜状をなしている。容器本体２０内には、例えば、芳香剤、消臭剤、除湿剤、又は虫除け剤などの揮散性の液体Ｒが収容されている。
【００１４】
容器本体２０は、倒立状態で支持部材５０に載置されている。より具体的には、支持部材５０は、キャップ部材３０の外周を取り囲むように配置された角形の管状体５１からなっており、管状体５１の上端縁部には、容器本体２０の肩部２３の外周縁部に形成された嵌合溝２３ａが嵌合された状態で、容器本体２０が管状体５１の上端縁部に載置されている。また、管状体５１には、含浸材４０を介して揮散される液体Ｒを透過させるための透孔５２が複数形成されている。なお、透孔５２の形状や配置は適宜変更が可能であり、また、透孔５２に代えてスリット又は切り欠きを設けるようにしても良い。
【００１５】
容器本体２０の口部２４には、口部２４の開口部２５を封止する中栓７０が液密に嵌合されている。中栓７０は、リング状の環状底面部７１と、この環状底面部７１の外周縁部に立設された外筒部７２と、環状底面部７１の内周縁部に立設された内筒部７３とによって容器本体２０の口部２５に嵌合している。また、内筒部７３の上端縁部の内側に張設された天板部７４によって容器本体２０の開口部２５が封止されている。環状底面部７１の下面には、径方向にわたって延びる溝７１ａが複数形成されている。なお、溝７１ａに代えて、突条を設けても良い。
【００１６】
キャップ部材３０は、底板部３１を有する。底板部３１には環状の内周壁部３２が立設され、内周壁部３２の内周面には、容器本体２０の口部２４の外周面に形成された雄ねじ部２４ｓに対応する雌ねじ部３２ｓが形成されている。また、内周壁部３２は、図１に示したように、高さ（軸）方向にわたって延在する１本のスリット３２ａが形成されることによって、断面Ｃ字状をなしている。内周壁部３２の外側では、底板部３１の外周縁部に外周壁部３３が立設されている。外周壁部３３は、本例では環状をなしている。
【００１７】
キャップ部材３０の外周壁部３３の外周面と、支持部材５０の角形の管状体５１の内周面との間には、管状体５１の４つの角部のそれぞれにおいて、連結片６０が架設されている。各連結片６０は、図３に示したように、上下方向の屈曲部６１を有する板状体となっている。
【００１８】
キャップ部材３０の底面部３１の中央には、尖頭状の突起部３４が上方に向けて形成されている。突起部３４には、上下方向にわたる複数の凹状（図示省略）が形成されている。なお、凹状に代えて、凸条としても良い。突起部３４の高さは、図２及び図３に示したように、内周壁部３２の雌ねじ部３２ｓが容器本体２０の口部２４の雄ねじ部２４ｓに半分程度までねじ込まれた状態で、突起部３４の先端部が中栓７０に接するか、わずかに離間する程度の高さになっている。また、雄ねじ部２４ｓ及び雌ねじ部３２ｓは、支持部材５０を９０°回転させることによって、残りの半分程度がねじ込まれるように、ピッチが調整されている。
【００１９】
キャップ部材３０の内周壁部３２と外周壁部３３の間の底板部３１上には、リング状の含浸材４０が配置されている。含浸材４０は本例では、例えば不織布などの、液体を吸収し湿潤する揮散部材からなっている。
なお、前述した容器本体２０、キャップ部材３０、支持部材５０、連結片６０、中栓７０は、本例ではいずれも樹脂製とするが、その他の材質を用いることも可能である。
【００２０】
かかる構成によれば、図１〜図３に示した状態から支持部材５０を９０°回転させることにより、キャップ部材３０を９０°回転させることができる。すなわち、キャップ部材３０と支持部材５０とが、上下方向の屈曲部６１を有する板状体である連結片６０で連結されているので、キャップ部材３０が支持部材５０に対して上方に相対移動できる一方で支持部材５０と共に回転することができるため、支持部材５０を９０°回転させることにより、キャップ部材３０の内周壁部３２を容器本体２０の口部２４に対して９０°ねじ込み上昇させることができるのである。
【００２１】
したがって、図４〜図６に示すように、キャップ部材３０の突起部３４で中栓７０の天板部７４を突き破り、液体Ｒを、突起部３４に形成された凹状、中栓７０の環状底面部７１に形成された溝７１ａ、及び内周壁部３２に形成されたスリット３２ａである液体経路を介して含浸材４０まで浸み出させることができる。なお、前述したように、凹状に代えて凸条とした場合や、溝７１ａに代えて突条とした場合にも、これら凸条や突条によって液体経路を形成することができるため、液体Ｒを含浸材４０まで浸み出させることができる。また、中栓７０の環状底面部７１に溝７１ａや突条を設けない場合でも、キャップ部材３０の底板部３１の上面における、容器本体２０の口部２４の下方領域に凹凸を設けることによって、液体経路を形成し、液体Ｒを含浸材４０まで浸み出させることが可能である。
【００２２】
そして、前述したように液体Ｒを含浸材４０に含浸させることにより、含浸材４０を介して液体Ｒを揮散させることができる。したがって、容器本体２０を開封し、液体Ｒを揮散させる状態とするための操作を大幅に簡易化することができる。
【００２３】
前述したところは、本発明の一実施形態を示したにすぎず、特許請求の範囲において、種々の変更を加えることができる。例えば、容器本体及び支持部材は、４つの側面を有する角形の外形を有するものとして説明したが、必ずしもこのような構成とする必要はなく、例えば丸形などの外形とすることもできる。また、支持部材は管状体からなるものとして説明したが、必ずしもこのような構成に限られず、キャップ部材の外周を取り囲むと共に、倒立状態の容器本体を載置できる形態のものであれば適宜の形状のものを採用することができる。
【産業上の利用可能性】
【００２４】
本発明によれば、容器本体を開封し、液体を揮散させる状態とするための操作を大幅に簡易化することのできる揮散性液体容器を供給することができる。
【符号の説明】
【００２５】
１  揮散性液体容器
２０  容器本体
２１  底部
２２  胴部
２３  肩部
２３ａ  嵌合溝
２４  口部
２４ｓ  雄ねじ部
２５  開口部
３０  キャップ部材
３１  底板部
３２  内周壁部
３２ａ  スリット（液体経路）
３２ｓ  雌ねじ部
３３  外周壁部
３４  突起部
４０  含浸材
５０  支持部材
５１  管状体
５２  透孔
６０  連結片
６１  屈曲部
７０  中栓（封止部材）
７１  環状底面部
７１ａ  溝
７２  外筒部
７３  内筒部
７４  天板部
Ｒ  液体
【図１】
2014148336.tif 000003
【図２】
2014148336.tif 000004
【図３】
2014148336.tif 000005
【図４】
2014148336.tif 000006
【図５】
2014148336.tif 000007
【図６】
2014148336.tif 000008